(57)【要約】【課題】アナモルフィック面を使用し超広角な画面全域で発生するアスを抑制できる撮像光学系およびこれを用いた撮像装置を提供する。【解決手段】物体側から順に、負群、開口絞り、正群を配する撮像光学系において、前記撮像光学系は、第一のアナモルフィック面を有する第一のレンズと、第二のアナモルフィック面を有する第二のレンズを有し、前記第一のアナモルフィック面は、前記撮像光学系が有するアナモルフィック面の中で、前記開口絞りからの距離が最も短く、前記第二のアナモルフィック面は、前記撮像光学系が有するアナモルフィック面の中で、前記開口絞りからの距離が最も長く、以下の条件式を満足する。 ０．０５＜｜Ｌａ／Ｌｂ｜＜０．５１．０＜｜Ｆａｘ／Ｆａｙ｜＜１．４１．３＜｜Ｆｂｘ／Ｆｂｙ｜＜２．５【選択図】図１
2019061182.tif 000002
【特許請求の範囲】
【請求項１】
物体側から順に、
負群、開口絞り、正群を配する撮像光学系において、
前記撮像光学系は、
第一のアナモルフィック面を有する第一のレンズと、
第二のアナモルフィック面を有する第二のレンズを有し、
前記第一のアナモルフィック面は、前記撮像光学系が有するアナモルフィック面の中で、前記開口絞りからの距離が最も短く、
前記第二のアナモルフィック面は、前記撮像光学系が有するアナモルフィック面の中で、前記開口絞りからの距離が最も長く、
以下の条件式を満足することを特徴とする撮像光学系。 
０．０５＜｜Ｌａ／Ｌｂ｜＜０．５
１．０＜｜Ｆａｘ／Ｆａｙ｜＜１．４
１．３＜｜Ｆｂｘ／Ｆｂｙ｜＜２．５
Ｌａ：第一のアナモルフィック面と前記開口絞りとの間の距離  
Ｌｂ：第二のアナモルフィック面と前記開口絞りとの間の距離  
Ｆａｘ：前記第一のレンズにおける長辺方向の焦点距離  
Ｆａｙ：前記第一のレンズにおける短辺方向の焦点距離  
Ｆｂｘ：前記第二のレンズにおける長辺方向の焦点距離  
Ｆｂｙ：前記第二のレンズにおける短辺方向の焦点距離  
【請求項２】
以下の条件式を満足することを特徴とする請求項１に記載の撮像光学系。
１．２＜｜ｆｎｘ／ｆｎｙ｜＜１．８
ｆｎｘ：前記負群の長辺方向の焦点距離
ｆｎｙ：前記負群の短辺方向の焦点距離
【請求項３】
以下の条件式を満足することを特徴とする請求項１または２に記載の撮像光学系。
１．０＜｜ｆｐｘ／ｆｐｙ｜＜１．３
ｆｐｘ：前記正群の長辺方向の焦点距離
ｆｐｙ：前記正群の短辺方向の焦点距離
【請求項４】
前記撮像光学系は、少なくとも１面にアナモルフィック面を有する第三のレンズを有し、以下の条件式を満足することを特徴とする請求項１乃至３のいずれか１項に記載の撮像光学系。
１．１＜｜Ｆｃｘ／Ｆｃｙ｜＜２．５
Ｆｃｘ：前記第三のレンズにおける長辺方向の焦点距離
Ｆｃｙ：前記第三のレンズにおける短辺方向の焦点距離
【請求項５】
前記第三のレンズは、以下の条件式を満足することを特徴とする請求項４に記載の撮像光学系。
０．１＜｜Ｌａ／Ｌｃ｜＜１．０
Ｌａ：前記第一のアナモルフィック面と前記開口絞りとの間の距離
Ｌｃ：前記第三のレンズで前記開口絞りからの距離が遠い方のアナモルフィック面と前記開口絞りとの間の距離
【請求項６】
請求項１乃至５のいずれか１項に記載の撮像光学系と、該撮像光学系によって形成される像を受光する固体撮像素子と、を有することを特徴とする撮像装置。
【発明の詳細な説明】
【技術分野】
【０００１】
本発明は、アナモルフィック面を使用した結像性能が良好な広角の撮像光学系およびこれを用いた撮像装置に関するもので、特に監視や車載用として好適なものである。
【背景技術】
【０００２】
監視や車載に用いられる撮像光学系は、主に広い画角を有し且つ画面全体にわたり結像性能が良好であることが望ましい。そこで、長方形センサーに対して、短辺と長辺で広範囲の適切な画角を取得するため、アナモルフィック面を使用することで短辺と長辺の倍率を変えることが行われている。しかし、アナモルフィック面を使用することにより、回転対称面には発生しない、軸上のアスが発生したり、画面周辺アジムス方向で異なるアスが発生するので、それらを抑制する条件を定める必要がある。
【０００３】
上記のような、アナモルフィック面を使用した例として、広角系でプラスチックレンズの２面以上にアナモルフィック面を使用した例が開示されている（特許文献１）。また、水平画角１８０度以上の広角系でアナモルフィック面を２面以上使用した例が開示されている。（特許文献２）。
【先行技術文献】
【特許文献】
【０００４】
【特許文献１】特開２００６−０１１０９３号公報
【特許文献２】特開２０１３−１０９２６８号公報
【発明の概要】
【発明が解決しようとする課題】
【０００５】
しかしながら、特許文献１に開示された従来技術は、プラスチックレンズの２面以上にアナモルフィック面を使用して、収差補正及び短辺と長辺の横倍率の変更を行っており、アナモルフィック面を絞りから遠い位置に配置しているため、短辺及び長辺方向のさらなる広角化の際に軸上及び低像高のアスを良好に補正できない。
【０００６】
また、特許文献２に開示された従来技術は、水平画角１８０度以上の広角系でアナモルフィック面を２面以上使用して、収差補正及び短辺と長辺の横倍率の変更を行っており、絞りから遠い位置に配置したアナモルフィック面を含むレンズの焦点距離が短すぎるため、短辺のさらなる広角化の際に高像高のアスを良好に補正できない。
【０００７】
そして、上記いずれの特許文献についても、アナモルフィック面を使用した短辺方向、長辺方向共に超広角な光学系における画面全域で発生するアス抑制を達成することに言及した内容については触れられていない。
【０００８】
本発明の目的は、アナモルフィック面を使用し超広角な画面全域で発生するアスを抑制できる撮像光学系およびこれを用いた撮像装置を提供することである。
【課題を解決するための手段】
【０００９】
上記目的を達成するため、本発明に係る撮像光学系は、物体側から順に、負群、開口絞り、正群を配する撮像光学系において、前記撮像光学系は、第一のアナモルフィック面を有する第一のレンズと、第二のアナモルフィック面を有する第二のレンズを有し、前記第一のアナモルフィック面は、前記撮像光学系が有するアナモルフィック面の中で、前記開口絞りからの距離が最も短く、前記第二のアナモルフィック面は、前記撮像光学系が有するアナモルフィック面の中で、前記開口絞りからの距離が最も長く、以下の条件式を満足することを特徴とする。 
０．０５＜｜Ｌａ／Ｌｂ｜＜０．５
１．０＜｜Ｆａｘ／Ｆａｙ｜＜１．４
１．３＜｜Ｆｂｘ／Ｆｂｙ｜＜２．５
Ｌａ：第一のアナモルフィック面と前記開口絞りとの間の距離  
Ｌｂ：第二のアナモルフィック面と前記開口絞りとの間の距離  
Ｆａｘ：前記第一のレンズにおける長辺方向の焦点距離  
Ｆａｙ：前記第一のレンズにおける短辺方向の焦点距離  
Ｆｂｘ：前記第二のレンズにおける長辺方向の焦点距離  
Ｆｂｙ：前記第二のレンズにおける短辺方向の焦点距離  
【発明の効果】
【００１０】
本発明によれば、アナモルフィック面を使用し超広角な画面全域で発生するアスを抑制できる。
【図面の簡単な説明】
【００１１】
【図１】第１の実施形態の長辺方向のレンズ断面図
【図２】（Ａ）は第１の実施形態の長辺方向におけるｄ線のスポットダイアグラム、（Ｂ）は第１の実施形態の短辺方向におけるｄ線のスポットダイアグラム、（Ｃ）は第１の実施形態の長辺方向からのアジムス方向の角度が３７度方向におけるｄ線のスポットダイアグラム
【図３】第２の実施形態の長辺方向のレンズ断面図
【図４】（Ａ）は第２の実施形態の長辺方向におけるｄ線のスポットダイアグラム、（Ｂ）は第２の実施形態の短辺方向におけるｄ線のスポットダイアグラム、（Ｃ）は第２の実施形態の長辺方向からのアジムス方向の角度が３７度方向におけるｄ線のスポットダイアグラム
【図５】第３の実施形態の長辺方向のレンズ断面図
【図６】（Ａ）は第３の実施形態の長辺方向におけるｄ線のスポットダイアグラム、（Ｂ）は第３の実施形態の短辺方向におけるｄ線のスポットダイアグラム、（Ｃ）は第３の実施形態の長辺方向からのアジムス方向の角度が３７度方向におけるｄ線のスポットダイアグラム
【図７】第４の実施形態の長辺方向のレンズ断面図
【図８】（Ａ）は第４の実施形態の長辺方向におけるｄ線のスポットダイアグラム、（Ｂ）は第４の実施形態の短辺方向におけるｄ線のスポットダイアグラム、（Ｃ）は第４の実施形態の長辺方向からのアジムス方向の角度が３７度方向におけるｄ線のスポットダイアグラム
【図９】本発明の実施形態に係る撮像光学系の要部概略図
【発明を実施するための形態】
【００１２】
以下、本発明の撮像光学系および各実施形態の撮像光学系について図面を参照して説明する。ここで、本明細書中で述べている超広角は全画角１５０度以上を意味する。
【００１３】
本発明の撮像光学系を例示する図１に、長辺方向（長方形センサーの長辺に対応）のレンズ断面図を示す。物体側から順に、負の屈折力の群Ｌ１、開口絞りＳＰ、正の屈折力の群Ｌ２を配する。物体側の群を負の屈折力、像側の群を正の屈折力とすることで、レトロタイプとなり、バックフォーカスを確保することができるので広角化に適している。
【００１４】
さらに、第一のアナモルフィック面を有する第一のレンズと、第二のアナモルフィック面を有する第二のレンズを有し、前記第一のアナモルフィック面は、前記撮像光学系が有するアナモルフィック面の中で、開口絞りからの距離が最も短く、前記第二のアナモルフィック面は、前記撮像光学系が有するアナモルフィック面の中で、開口絞りからの距離が最も長い構成としている。
【００１５】
そして、複数のアナモルフィック面を有することで、画面全域のアスを補正する構成となる。
【００１６】
さらに、以下の条件式を満足することを特徴とする。
０．０５＜｜Ｌａ／Ｌｂ｜＜０．５・・・（１）
１．０＜｜Ｆａｘ／Ｆａｙ  ｜＜１．４・・・（２）
１．３＜｜Ｆｂｘ／Ｆｂｙ  ｜＜２．５・・・（３）
Ｌａ：第一のアナモルフィック面と開口絞り間の距離  
Ｌｂ：第二のアナモルフィック面と開口絞り間の距離  
Ｆａｘ：前記第一のレンズにおける長辺方向の焦点距離  
Ｆａｙ：前記第一のレンズにおける短辺方向の焦点距離  
Ｆｂｘ：前記第二のレンズにおける長辺方向の焦点距離  
Ｆｂｙ：前記第二のレンズにおける短辺方向の焦点距離
条件式（１）、（２）、（３）は、超広角な被写体領域を取得しつつ、画面全域のアスを補正するために必要な条件である。
【００１７】
条件式（１）は、前記第一のアナモルフィック面と開口絞り間の距離と、第二のアナモルフィック面と開口絞り間の距離の比を規定するものである。下限を超えると、中間像高のアスを補正できない、或いは、第一のアナモルフィック面と開口絞り間の距離が短すぎ、実現が困難である。上限を超えると、前記第一のアナモルフィック面と前記第二のアナモルフィック面の絞りからの距離の差異が少なくなり、ｈの高い位置、或いはｈバーの高い位置にのみアナモルフィック面を配することになり、低像高或いは高像高のアスを補正できない。
【００１８】
さらに望ましくは、以下の条件式（１ａ）を満足させる範囲とすることで、より画面全域で発生するアスを抑制することが可能なアナモルフィック超広角撮像光学系を実現できるものである。
０．０７＜｜Ｌａ／Ｌｂ｜＜０．４５・・・（１ａ）
さらに望ましくは、以下の条件式（１ｂ）を満足させる範囲とすることで、より画面全域で発生するアスを抑制することが可能なアナモルフィック超広角撮像光学系を実現できるものである。
０．１０＜｜Ｌａ／Ｌｂ｜＜０．４０  ・・・（１ｂ）
条件式（２）は、前記第一のレンズにおける長辺方向の焦点距離と、第一のレンズにおける短辺方向の焦点距離の比を規定するものである。下限を超えると、前記第一のレンズにおける長辺方向の焦点距離が短くなりすぎ、軸上と低像高のアスを補正できない。上限を超えると、前記第一のレンズにおける短辺方向の焦点距離が短くなりすぎ、同様に軸上と低像高のアスを補正できない、
さらに望ましくは、以下の条件式（２ａ）を満足させる範囲とすることで、より画面全域で発生するアスを抑制することが可能なアナモルフィック超広角撮像光学系を実現できるものである。
１．０４＜｜Ｆａｘ／Ｆａｙ  ｜＜１．３９・・・（２ａ）
条件式（３）は、前記第二のレンズにおける長辺方向の焦点距離と、第二のレンズにおける短辺方向の焦点距離の比を規定するものである。下限を超えると、前記第二のレンズにおける長辺方向の焦点距離が短くなりすぎ、高像高のアスを補正できない。上限を超えると、前記第二のレンズにおける短辺方向の焦点距離が短くなりすぎ、同様に高像高のアスを補正できない。
【００１９】
さらに望ましくは、以下の条件式（３ａ）を満足させる範囲とすることで、より画面全域で発生するアスを抑制することが可能なアナモルフィック超広角撮像光学系を実現できるものである。
１．３２＜｜Ｆｂｘ／Ｆｂｙ  ｜＜２．４１・・・（３ａ）
以上の構成により、画面全域で発生するアスを抑制することが可能なアナモルフィック超広角撮像光学系を実現できる
さらに、前記撮像光学系に関して、以下の条件式を満足することにより超広角な被写体領域を取得しつつ、画面全域のアスを更に良好に補正することができる。
１．２＜｜ｆｎｘ／ｆｎｙ｜＜１．８・・・（４）
ｆｎｘ：  前記負群の長辺方向の焦点距離
ｆｎｙ：  前記負群の短辺方向の焦点距離
条件式（４）は、前記負群における長辺方向の焦点距離と、前記負群における短辺方向の焦点距離の比を規定するものである。下限を超えると、前記負群における長辺方向の焦点距離が短くなりすぎ、アスを補正できない。上限を超えると、前記負群における短辺方向の焦点距離が短くなりすぎ、同様にアスを補正できない、
さらに望ましくは、以下の条件式（４ａ）を満足させる範囲とすることで、より画面全域で発生するアスを抑制することが可能なアナモルフィック超広角撮像光学系を実現できるものである。
１．２５＜｜ｆｎｘ／ｆｎｙ｜＜１．７５・・・（４ａ）
さらに望ましくは、以下の条件式（３ｂ）を満足させる範囲とすることで、より画面全域で発生するアスを抑制することが可能なアナモルフィック超広角撮像光学系を実現できるものである。
１．３０＜｜ｆｎｘ／ｆｎｙ｜＜１．７０  ・・・（４ｂ）
さらに、前記撮像光学系に関して、以下の条件式を満足することを特徴としている。
１．０＜｜ｆｐｘ／ｆｐｙ｜＜１．３・・・（５）
ｆｐｘ：  前記正群の長辺方向の焦点距離
ｆｐｙ：  前記正群の短辺方向の焦点距離
条件式（５）は、前記正群における長辺方向の焦点距離  と前記正群における短辺方向の焦点距離  の比を規定するものである。下限を超えると、前記正群における長辺方向の焦点距離が短くなりすぎ、アスを補正できない。上限を超えると、前記正群における短辺方向の焦点距離が短くなりすぎ、同様にアスを補正できない、
さらに望ましくは、以下の条件式（５ａ）を満足させる範囲とすることで、より画面全域で発生するアスを抑制することが可能なアナモルフィック超広角撮像光学系を実現できるものである。
１．０２＜｜ｆｐｘ／ｆｐｙ｜＜１．２５・・・（５ａ）
さらに望ましくは、以下の条件式（５ｂ）を満足させる範囲とすることで、より画面全域で発生するアスを抑制することが可能なアナモルフィック超広角撮像光学系を実現できるものである。
１．０３＜｜ｆｐｘ／ｆｐｙ｜＜１．２０  ・・・（５ｂ）
さらに、前記撮像光学系に関して、以下の構成と条件式を満足することを特徴としている。前記撮像光学系は、少なくとも１面にアナモルフィック面を有する第三のレンズを有し以下の条件式を満足する。
１．１＜｜Ｆｃｘ／Ｆｃｙ  ｜＜２．５・・・（６）
Ｆｃｘ：前記第三のレンズにおける長辺方向の焦点距離
Ｆｃｙ：前記第三のレンズにおける短辺方向の焦点距離
条件式（６）は、前記第三のレンズにおける長辺方向の焦点距離  と前記第三のレンズにおける短辺方向の焦点距離  の比を規定するものである。下限を超えると、前記第三のレンズにおける長辺方向の焦点距離が短くなりすぎ、中間像高のアスを補正できない。上限を超えると、前記第三のレンズにおける短辺方向の焦点距離が短くなりすぎ、同様に中間像高のアスを補正できない、
さらに望ましくは、以下の条件式（６ａ）を満足させる範囲とすることで、より画面全域で発生するアスを抑制することが可能なアナモルフィック超広角撮像光学系を実現できるものである。
１．３＜｜Ｆｃｘ／Ｆｃｙ  ｜＜２．３・・・（６ａ）
さらに望ましくは、以下の条件式（６ｂ）を満足させる範囲とすることで、より画面全域で発生するアスを抑制することが可能なアナモルフィック超広角撮像光学系を実現できるものである。
１．５＜｜Ｆｃｘ／Ｆｃｙ  ｜＜２．２  ・・・（６ｂ）
さらに、前記撮像光学系に関して、以下の構成と条件式を満足することを特徴とする。
前記撮像光学系は、少なくとも１面にアナモルフィック面を有する第三のレンズを有し以下の条件式を満足する。
０．１＜｜Ｌａ／Ｌｃ｜＜１．０・・・（７）
Ｌａ：第一のアナモルフィック面と開口絞り間の距離  
Ｌｃ：第三のレンズで絞りからの距離が遠い方のアナモルフィック面と開口絞り間の距離
条件式（７）は、前記第一のアナモルフィック面と開口絞り間の距離と第三のレンズで絞りからの距離が遠い方のアナモルフィック面と開口絞り間の距離の比を規定するものである。下限を超えると、中間像高のアス補正ができない。上限を超えると、前記第一のアナモルフィック面と前記第二のアナモルフィック面の絞りからの距離の差異が少なくなり、ｈの高い位置、或いはｈバーの高い位置にのみアナモルフィック面を配することになり、低像高或いは高像高のアスを補正できない。
【００２０】
さらに望ましくは、以下の条件式（７ａ）を満足させる範囲とすることで、より画面全域で発生するアスを抑制することが可能なアナモルフィック超広角撮像光学系を実現できるものである。
０．１５＜｜Ｌａ／Ｌｃ｜＜１．０・・・（７ａ）
さらに望ましくは、以下の条件式（６ｂ）を満足させる範囲とすることで、より画面全域で発生するアスを抑制することが可能なアナモルフィック超広角撮像光学系を実現できるものである。
０．２０＜｜Ｌａ／Ｌｃ｜＜１．０    ・・・（７ｂ）
次に、各実施形態の撮像光学系について説明する。各実施形態のレンズ断面図において、ＳＰは開口絞り、ＩＰは像面でありＣＣＤ等の素子が配置される。
【００２１】
（第１の実施形態）
以下、図１を参照して、第三のレンズを備える本発明の第１の実施形態について説明する。第１の実施形態の撮像光学系は、物体側より順に、負の屈折力の群Ｌ１、開口絞りＳＰ、正の屈折力の群Ｌ２から構成され、開口絞りからの距離が最も短い第一のアナモルフィック面を有する第一のレンズと開口絞りからの距離が最も長いアナモルフィック面を有する第二レンズと少なくとも１面にアナモルフィック面を有する第三のレンズを有している。
【００２２】
前記第一のアナモルフィック面と開口絞り間の距離と第二のアナモルフィック面と開口絞り間の距離の比を０．２１（条件式（１））とすることで、画面全域のアスを補正するアナモルフィック面の配置となる。
【００２３】
さらに、前前記第一のレンズにおける長辺方向の焦点距離と第一のレンズにおける短辺方向の焦点距離の比を１．０８（条件式（２））とすることで、軸上と低像高におけるアスを補正することができる。
【００２４】
さらに、前記第二のレンズにおける長辺方向の焦点距離と第二のレンズにおける短辺方向の焦点距離の比を２．４０（条件式（３））とすることで、高像高におけるアスを補正することができる。
【００２５】
さらに、前記負群における長辺方向の焦点距離と前記負群における短辺方向の焦点距離の比を１．４２（条件式（４））とすることで、画面全域のアスを更に良好に補正することができる。
【００２６】
さらに、前記正群における長辺方向の焦点距離と前記正群における短辺方向の焦点距離の比を１．０５（条件式（５））とすることで、画面全域のアスを更に良好に補正することができる。
【００２７】
さらに、前記第三のレンズにおける長辺方向の焦点距離と前記第三のレンズにおける短辺方向の焦点距離の比を２．０４（条件式（６））とすることで、中間像高のアスを更に良好に補正することができる。
【００２８】
さらに、前記第一のアナモルフィック面と開口絞り間の距離と第三のレンズで絞りからの距離が遠い方のアナモルフィック面と開口絞り間の距離の比を０．６１（条件式（７））とすることで、軸上、低像高、中間像高のアスを更に良好に補正することができる。
【００２９】
（第２の実施形態）
以下、図３を参照して、第２の実施形態について説明する。本実施形態の撮像光学系は、物体側より順に、負の屈折力の群Ｌ１、開口絞りＳＰ、正の屈折力の群Ｌ２から構成され、開口絞りからの距離が最も短い第一のアナモルフィック面を有する第一のレンズと開口絞りからの距離が最も長いアナモルフィック面を有する第二レンズと少なくとも１面にアナモルフィック面を有する第三のレンズを有している。
【００３０】
前記第一のアナモルフィック面と開口絞り間の距離と、第二のアナモルフィック面と開口絞り間の距離の比を０．３７（条件式（１））とすることで、画面全域のアスを補正するアナモルフィック面の配置となる。
【００３１】
さらに、前前記第一のレンズにおける長辺方向の焦点距離と、第一のレンズにおける短辺方向の焦点距離の比を１．０５（条件式（２））とすることで、軸上と低像高におけるアスを補正することができる。
【００３２】
さらに、前記第二のレンズにおける長辺方向の焦点距離と第二のレンズにおける短辺方向の焦点距離の比を２．３７（条件式（３））とすることで、高像高におけるアスを補正することができる。
【００３３】
さらに、前記負群における長辺方向の焦点距離と前記負群における短辺方向の焦点距離の比を１．４１（条件式（４））とすることで、画面全域のアスを更に良好に補正することができる。
【００３４】
さらに、前記正群における長辺方向の焦点距離と前記正群における短辺方向の焦点距離の比を１．０４（条件式（５））とすることで、画面全域のアスを更に良好に補正することができる。
【００３５】
さらに、前記第三のレンズにおける長辺方向の焦点距離と前記第三のレンズにおける短辺方向の焦点距離の比を２．１９（条件式（６））とすることで、中間像高のアスを更に良好に補正することができる。
【００３６】
さらに、前記第一のアナモルフィック面と開口絞り間の距離と第三のレンズで絞りからの距離が遠い方のアナモルフィック面と開口絞り間の距離の比を０．９９（条件式（７））とすることで、軸上、低像高、中間像高のアスを更に良好に補正することができる。
【００３７】
（第３の実施形態）
以下、図５を参照して、本発明の第３の実施形態について説明する。本実施形態の撮像光学系は、物体側より順に、負の屈折力の群Ｌ１、開口絞りＳＰ、正の屈折力の群Ｌ２から構成され、開口絞りからの距離が最も短い第一のアナモルフィック面を有する第一のレンズと開口絞りからの距離が最も長いアナモルフィック面を有する第二レンズと少なくとも１面にアナモルフィック面を有する第三のレンズを有している。
【００３８】
前記第一のアナモルフィック面と開口絞り間の距離と第二のアナモルフィック面と開口絞り間の距離の比を０．１３（条件式（１））とすることで、画面全域のアスを補正するアナモルフィック面の配置となる。
【００３９】
さらに、前前記第一のレンズにおける長辺方向の焦点距離と第一のレンズにおける短辺方向の焦点距離の比を１．３８（条件式（２））とすることで、軸上と低像高におけるアスを補正することができる。
【００４０】
さらに、前記第二のレンズにおける長辺方向の焦点距離と第二のレンズにおける短辺方向の焦点距離の比を１．３３（条件式（３））とすることで、高像高におけるアスを補正することができる。
【００４１】
さらに、前記負群における長辺方向の焦点距離と前記負群における短辺方向の焦点距離の比を１．６２（条件式（４））とすることで、画面全域のアスを更に良好に補正することができる。
【００４２】
さらに、前記正群における長辺方向の焦点距離と前記正群における短辺方向の焦点距離の比を１．０７（条件式（５））とすることで、画面全域のアスを更に良好に補正することができる。
【００４３】
さらに、前記第三のレンズにおける長辺方向の焦点距離と前記第三のレンズにおける短辺方向の焦点距離の比を２．０７（条件式（６））とすることで、中間像高のアスを更に良好に補正することができる。
【００４４】
さらに、前記第一のアナモルフィック面と開口絞り間の距離と第三のレンズで絞りからの距離が遠い方のアナモルフィック面と開口絞り間の距離の比を０．２６（条件式（７））とすることで、軸上、低像高、中間像高のアスを更に良好に補正することができる。
【００４５】
（第４の実施形態）
以下、図７を参照して、本発明の第４の実施形態について説明する。本実施形態の撮像光学系は、物体側より順に、負の屈折力の群Ｌ１、開口絞りＳＰ、正の屈折力の群Ｌ２から構成され、開口絞りからの距離が最も短い第一のアナモルフィック面を有する第一のレンズと開口絞りからの距離が最も長いアナモルフィック面を有する第二レンズと少なくとも１面にアナモルフィック面を有する第三のレンズを有している。
【００４６】
前記第一のアナモルフィック面と開口絞り間の距離と第二のアナモルフィック面と開口絞り間の距離の比を０．２９（条件式（１））とすることで、画面全域のアスを補正するアナモルフィック面の配置となる。
【００４７】
さらに、前前記第一のレンズにおける長辺方向の焦点距離と第一のレンズにおける短辺方向の焦点距離の比を１．０５（条件式（２））とすることで、軸上と低像高におけるアスを補正することができる。
【００４８】
さらに、前記第二のレンズにおける長辺方向の焦点距離と第二のレンズにおける短辺方向の焦点距離の比を２．３３（条件式（３））とすることで、高像高におけるアスを補正することができる。
【００４９】
さらに、前記負群における長辺方向の焦点距離と前記負群における短辺方向の焦点距離の比を１．３９（条件式（４））とすることで、画面全域のアスを更に良好に補正することができる。
【００５０】
さらに、前記正群における長辺方向の焦点距離と前記正群における短辺方向の焦点距離の比を１．０５（条件式（５））とすることで、画面全域のアスを更に良好に補正することができる。
【００５１】
さらに、前記第三のレンズにおける長辺方向の焦点距離と前記第三のレンズにおける短辺方向の焦点距離の比を１．５２（条件式（６））とすることで、中間像高のアスを更に良好に補正することができる。
【００５２】
さらに、前記第一のアナモルフィック面と開口絞り間の距離と第三のレンズで絞りからの距離が遠い方のアナモルフィック面と開口絞り間の距離の比を０．９０（条件式（７））とすることで、軸上、低像高、中間像高のアスを更に良好に補正することができる。
【００５３】
以上、本発明の好ましい実施形態について説明したが、本発明はこれらの実施形態に限定されず、その要旨の範囲内で種々の変形及び変更が可能である。
【００５４】
例えば、第１〜第４の実施形態全ての撮像光学系は、変倍時のＦ値の変動を低減するために開口絞り制御を行なっているものもあるが、所望の仕様特性が得られる範囲内であれば特に行わなくてもよい。
【００５５】
また、受光面上に形成された光学像を電気信号に変換する撮像素子を備えた撮像装置と組み合わせた場合などには歪曲収差量によっては電気的な補正を加えても良い。
【００５６】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。
また、非球面、アナモルフィック面に記載されている、ｋ，ｋｘ，ｋｙ，Ａ，Ｂ，Ｃ，Ｄ，Ｅなどは非球面係数である。
【００５７】
非球面形状は光軸からの高さｈの位置での光軸方向の変位を、面頂点を基準にしてｘとするとき以下の式で定義される。
ｘ＝（ｈ２／Ｒ）／［１＋｛１−（１＋ｋ）（ｈ／Ｒ）２｝１／２］
＋Ａｈ４＋Ｂｈ６＋Ｃｈ８＋Ｄｈ１０＋Ｅｈ１２
ただし、ここでＲは曲率半径である。
【００５８】
アナモルフィック面形状は、長辺方向の変位をＸ、直交する短辺方向の変位をＹとし、面頂点を基準にしての変位をｘとするとき以下の式で定義される。
ｘ＝｛（Ｘ２／Ｒｘ）＋（Ｙ２／Ｒｙ）｝／［１＋｛１−（１＋ｋｘ）（Ｘ／Ｒｘ）２−（１＋ｋｙ）（Ｙ／Ｒｙ）｝１／２］＋Ｓ１｛（１−ＡＮ１）×Ｘ２＋（１＋ＡＮ１）×Ｙ２｝２＋Ｓ２｛（１−ＡＮ２）×Ｘ２＋（１＋ＡＮ２）×Ｙ２｝３＋Ｓ３｛（１−ＡＮ３）×Ｘ２＋（１＋ＡＮ３）×Ｙ２｝４
次に、各実施例に示したようなズームレンズを撮影光学系として用いた、デジタルカメラの実施形態を図９を用いて説明する。
【００５９】
図９において、２０はカメラ本体、２１は本発明のズームレンズによって構成された撮像光学系である。２２は撮像光学系２１によって形成された被写体像を受光するＣＣＤなどの撮像素子（光電変換素子）である。２３は撮像素子２２が受光した被写体像を記録する記録手段、２４は不図示の表示素子に表示された被写体像を観察するためのファインダーである。
【００６０】
上記表示素子は液晶パネルなどによって構成され、撮像素子２２上に形成された被写体像が表示される。
【００６１】
このように本発明の撮像光学系を光学機器に適用することにより、高い光学性能を有する撮像装置を実現している。
【００６２】
（数値実施例1）
※焦点距離,rデータは長辺（X方向のデータ）を記載
単位 mm
面データ
面番号       r        d      nd         vd       有効径
1*        30.334    0.80   1.53110    55.9       12.23
2          2.857    3.50                          5.63
3*       -28.773    0.39   1.53110    55.9        4.00
4**       5.616    1.00                          4.00
5**     -10.737    0.83   1.84666    23.9        3.00
6**      -6.350    0.99                          3.00
7(絞り)    ∞       0.60                          1.81
8**       5.945    1.51   1.48749    70.2        3.00
9**       -4.098    2.05                          3.00
10         95.691    0.50   1.65160    58.5        4.26
11         13.324    0.94   1.84666    23.9        4.49
12*        -9.857  (可変)                          4.64
像面        ∞   
*非球面データ
第1面
K = 0.00000e+000  A 4= 2.21454e-004  A 6= 9.31962e-006  A 8=-4.86991e-007  A10= 5.52053e-009  
第3面
K = 0.00000e+000  A 4= 4.12768e-003  A 6=-1.84367e-003  A 8= 4.87126e-004  A10=-5.56377e-005  
第12面
K = 0.00000e+000  A 4= 2.36456e-003  A 6= 2.03755e-004  A 8=-2.29750e-005  A10= 3.00540e-006  
各種データ
焦点距離       2.08  
Fナンバー      2.80  
レンズ全長    16.57  
BF             3.45  
d12            3.45  
入射瞳位置     3.47  
射出瞳位置    -9.91  
前側主点位置   5.23  
後側主点位置   1.37  
単レンズデータ
レンズ  始面  焦点距離
1       1     -6.00
2       3     -8.81
3       5     16.89
4       8      5.23
5      10    -23.81
6      11      6.82
【００６３】
【表１】
2019061182.tif 000003
【００６４】
（数値実施例2）
単位 mm
面データ
面番号       r        d      nd         vd       有効径
1*        32.163    0.40   1.53110    55.9       11.74
2          2.939    2.98                          5.73
3*       -28.773    0.39   1.53110    55.9        4.30
4**        5.616    1.58                          3.59
5**       -9.417    0.61   1.84666    23.9        2.50
6**       -6.787    1.31                          2.50
7(絞り)    ∞       1.30                          1.91
8**        4.954    1.40   1.48749    70.2        2.25
9**       -4.482    1.27                          2.84
10         22.378    0.24   1.84666    23.9        3.64
11          6.279    1.05   1.65160    58.5        3.72
12*       -11.545  (可変)                          3.92
像面        ∞   
*非球面データ
第1面
K = 0.00000e+000  A 4= 4.75167e-004  A 6= 2.44089e-006  A 8=-4.78231e-007  A10= 8.62225e-009  
第3面
K = 0.00000e+000  A 4= 3.46393e-003  A 6=-1.83002e-003  A 8= 3.61142e-004  A10=-3.63766e-005  
第12面
K = 0.00000e+000  A 4= 3.28486e-003  A 6= 2.65585e-004  A 8=-1.60036e-005  A10= 1.25381e-005  
各種データ
焦点距離       2.07  
Fナンバー      2.80  
レンズ全長    16.88  
BF             4.33  
d12            4.33  
入射瞳位置     3.20  
射出瞳位置    -7.89  
前側主点位置   4.91  
後側主点位置   2.27  
単レンズデータ
レンズ  始面  焦点距離
1       1     -6.12
2       3     -8.81
3       5     25.95
4       8      5.07
5      10    -10.38
6      11      6.39
【００６５】
【表２】
2019061182.tif 000004
【００６６】
（数値実施例3）
単位 mm
面データ
面番号       r        d      nd         vd       有効径
1*        91.357    0.40   1.53110    55.9       10.27
2          2.972    2.40                          5.14
3*       -10.844    0.39   1.53110    55.9        3.53
4**        4.029    1.03                          2.81
5        -22.758    1.12   1.84666    23.9        1.94
6**       -5.205    0.77                          1.84
7(絞り)    ∞       1.79                          1.93
8*         4.664    1.19   1.48749    70.2        2.58
9**       -5.514    0.06                          3.20
10          9.729    0.24   1.84666    23.9        3.39
11          2.756    1.50   1.48749    70.2        3.46
12        -10.785    0.50                          4.17
13         18.275    0.68   1.53110    55.9        4.46
14**      -16.031  (可変)                          4.59
像面        ∞   
*非球面データ
第1面
K = 0.00000e+000  A 4= 9.96583e-004  A 6=-8.83863e-006  A 8=-1.81996e-007  A10= 9.73681e-009  
第3面
K = 0.00000e+000  A 4= 3.75252e-003  A 6=-3.34597e-003  A 8= 5.65665e-004  A10=-3.63244e-005  
第8面
K = 0.00000e+000  A 4=-2.07103e-003  A 6= 2.93682e-004  A 8=-9.74090e-005  A10=-4.65411e-006  
各種データ
焦点距離       2.15  
Fナンバー      2.82  
レンズ全長    15.94  
BF             3.87  
d14            3.87  
入射瞳位置     2.74  
射出瞳位置   -11.01  
前側主点位置   4.58  
後側主点位置   1.72  
単レンズデータ
レンズ  始面  焦点距離
1       1     -5.79
2       3     -5.48
3       5      7.74
4       8      5.39
5      10     -4.61
6      11      4.67
7      13     16.19
【００６７】
【表３】
2019061182.tif 000005
【００６８】
（数値実施例4）
単位 mm
面データ
面番号       r        d      nd         vd       有効径
1*        32.564    0.40   1.53110    55.9       12.10
2          2.524    2.82                          5.03
3*       -28.773    0.39   1.53110    55.9        4.07
4**        5.616    1.24                          3.40
5**      -14.959    1.46   1.84666    23.9        2.42
6**       -5.897    1.31                          1.77
7(絞り)    ∞       1.18                          1.92
8**        4.565    1.74   1.48749    70.2        2.06
9**       -5.034    0.41                          2.88
10          8.157    0.24   1.84666    23.9        3.34
11          3.069    0.98   1.48749    70.2        3.40
12         17.048    0.11                          3.68
13          9.400    0.65   1.53110    55.9        3.88
14*       -20.960  (可変)                          4.04
像面        ∞   
*非球面データ
第1面
K = 0.00000e+000  A 4= 6.17786e-004  A 6=-3.70425e-006  A 8=-3.30160e-007  A10= 7.60460e-009  
第3面
K = 0.00000e+000  A 4= 4.51066e-003  A 6=-2.38126e-003  A 8= 3.80492e-004  A10=-5.67627e-005  
第14面
K = 0.00000e+000  A 4= 2.45849e-003  A 6= 5.70796e-004  A 8=-1.64573e-004  A10= 1.86077e-005  
各種データ
焦点距離       2.03  
Fナンバー      2.80  
レンズ全長    16.72  
BF             3.78  
d14            3.78  
入射瞳位置     2.94  
射出瞳位置    -6.32  
前側主点位置   4.56  
後側主点位置   1.75  
単レンズデータ
レンズ  始面  焦点距離
1       1     -5.18
2       3     -8.81
3       5     10.71
4       8      5.22
5      10     -5.94
6      11      7.50
7      13     12.31
【００６９】
【表４】
2019061182.tif 000006
【００７０】
以下に各数値実施例の条件式の値を示す。
【００７１】
【表５】
2019061182.tif 000007
【符号の説明】
【００７２】
Ｌ1  正群
Ｌ2  負群
ＡＮ1  第一のレンズが有する絞りからの距離が最も短いアナモルフィック面
ＡＮ2  第二のレンズが有する絞りからの距離が最も遠いアナモルフィック面
ＡＮ3  第三のレンズが有するアナモルフィック面
ＩＰ  像面
ＳＰ  開口絞り
【図１】
2019061182.tif 000008
【図２】
2019061182.tif 000009
【図３】
2019061182.tif 000010
【図４】
2019061182.tif 000011
【図５】
2019061182.tif 000012
【図６】
2019061182.tif 000013
【図７】
2019061182.tif 000014
【図８】
2019061182.tif 000015
【図９】
2019061182.tif 000016